(57)【要約】【課題】  一般の光学機器の目当て構造によれば、目当て環は接眼レンズから最も離れた位置と、接眼レンズに最も近づいた位置、及びこの中間の設定された位置等、段階的に係止する事しか出来ない。例えば、目当て環を前記段階的な位置以外の位置に置いては係止する事が出来ない。この場合、任意の位置で観測者の目の周囲が目当て環に接した場合、目当て環をその位置に維持できない為、この観点から改良の余地が残されていた。【解決手段】観測者の状態に合わせて、目当て環を接眼レンズから最も離れた位置と、接眼レンズに最も近づけた位置の間で、使用者が最も見易い位置に目の周囲を目当て環に当て、バネ力に抗して押し下げる事により、目当て環の位置を双眼鏡使用者の最も見易い位置に、絶えず維持できる目当て構造を提供する。【選択図】図１
2007127689.tif 000002
【特許請求の範囲】
【請求項１】
接眼枠と、該接眼枠に固定枠が設けられ、該固定枠外周面上を光軸方向に摺動する事が出来るよう目当て環が設けられており、前記接眼枠と前記目当て環の間にはコイルバネが設けられている。該コイルバネにより前記目当て環は、絶えず光軸方向眼球に最も近づいた位置に押し上げられていることを特徴とする目当て構造。
【請求項２】
前記固定枠には、外周方向に突出する凸部が形成され、前記目当て環内
周部には前記凸形状に摺動可能な凹形状が形成されている。該凹形状には目当て環を係止する為の係止形状が設けられていることを特徴とする請求項1に記載の目当て構造。
【発明の詳細な説明】
【技術分野】
【０００１】
本発明は、光学機器接眼部に目当て環を備えた構造に関するものである。
【背景技術】
【０００２】
従来より、光学機器接眼部には目当て構造が設けられている。このような目当て環は、観測者が光学機器の最適の使用条件に対処するよう、接眼レンズと眼球との距離を調整できるような構造となっている。例えば、特許文献1及び特許文献２参照。
【特許文献１】特許出願平７−２３９３００
【特許文献２】実願２００２−３３８７
【０００３】
特許文献１の目当て構造によれば、目当て環をスライド可能に係止すると共に移動方向にガイドする事が出来る。
【０００４】
実用新案文献１の目当て構造によれば、ツイストアップ操作により、目当て環の調整位置を維持する事が出来る。
【発明の開示】
【発明が解決しようとする課題】
【０００５】
しかし、これらの目当て構造によれば、目当て環は接眼レンズから最も離れた位置と、接眼レンズに最も近づいた位置、及びこの中間の設定された位置等、段階的に係止する事しか出来ない。例えば、目当て環を前記段階的な位置以外の位置に置いては係止する事が出来ない。
【０００６】
この場合、任意の位置で観測者の目の周囲が目当て環に接した場合、目当て環をその位置に維持できない為、この観点から改良の余地が残されていた。
【０００７】
本発明は、観測者の状態に合わせて、目当て環を接眼レンズから最も離れた位置と、接眼レンズに最も近づけた位置の間で、使用者が最も見易い位置に目の周囲を目当て環に当て、押し下げる事により、目当て環の位置を絶えず維持できる目当て構造を提供することを目的とする。
【課題を解決するための手段】
【０００８】
前述した目的を達成する為に、本発明の目当て構造は、接眼枠と該接眼枠に固定枠が設けられ、該固定枠外周面上を光軸方向に摺動する事が出来るように、目当て環が設けられており、前記接眼枠と前記目当て環の間にはコイルバネが設けられている。該コイルバネにより前記目当て環は、絶えず光軸方向眼球に最も近づいた位置に押し上げられている事を特徴とする目当て構造である。
【０００９】
また前記目当て構造の好適な態様として、前記固定枠には外周方向に突出する凸部が形成され、前記目当て環の円周部には、前記凸形状に光軸方向にスライド自在に嵌合する凹形状が形成されている。該凹形状には目当て環を係止する為の少なくとも２箇所の光軸方向に垂直な凹形状が設けられている。
【発明の効果】
【００１０】
本発明の目当て構造によれば、観測者の状況に合わせた位置に、絶えずバネ力により目当て環を配置する事が可能になり、光学機器の使い勝手をいっそう高めることが出来るという効果が得られる。
【発明を実施するための最良の形態】
【００１１】
以下、本発明による実施形態を図面に基づいて詳細に説明する。図1は本発明に係る目当て構造を示す断面図。図２は目当て環２、接眼枠３、固定枠４及びコイルバネ５を組み合わせる前の斜視図である。
【００１２】
目当て構造１は、目当て環２と接眼レンズユニット１０を有する。接眼枠３と該接眼枠３にねじ込む事により固定される固定枠４と、絶えず目当て環２を光軸１１方向眼球に最も近づける位置に押し上げているコイルバネ５を有する。接眼ユニット１０は３個の接眼レンズ１０Ａ、１０Ｂ、１０Ｃから構成される。
【００１３】
目当て環２は、固定枠４の外周面上を光軸１１方向に摺動する部材である。目当て環２は、その両端に開口部６及び開口部７を有し、その内周面に凹部８を有する。
【００１４】
目当て環凹部８は、固定枠４が有する外周方向に突出する凸形状９に嵌合し、目当て環２が、固定枠４に対して、光軸１１方向にスライド自在に摺動できるようになっている。
【００１５】
前記固定枠４に目当て環２がセットされた状態で、コイルバネ５を介して接眼枠３に固定枠４は、ねじ込むことにより固定される。これにより、コイルバネ５のバネ力によって、目当て環２の開口部６は絶えず光軸１１方向眼球に最も近づいた位置に押し上げられていることになる。目当て環２は、弾性部材１３を有する。
【００１６】
図２に示すように目当て環２の内周面に設けられた凹形状８は、目当て環２が光軸１１方向にスライドする為の凹形状８Ａを形成し、光軸１１方向眼球に最も近づいた位置に押し上げられた位置より、光軸１１方向に直交する方向に第１平行溝８Ｂを形成し、光軸１１方向眼球に最も離れた位置に、光軸１１に直交する方向に第２平行溝８Ｃを形成したものである。
【００１７】
目当て構造を有する接眼枠３は、光学機器鏡筒１２にねじ込むことにより固定される。
【００１８】
目当て構造１は、以上の構成を有することにより、次のように作用する。
固定枠４が有する外周方向に突出する凸形状９に目当て環２の内周面に設けられた凹形状８Ａが嵌合している状態において、目当て環２は、接眼枠３に配置されたコイルバネ５のバネ力によって、光軸方向眼球に最も近づいた位置に絶えず押し上げられる。
【００１９】
上記の状態から、目当て環２を光軸１１に直交する方向に回転すると、前記凸形状９は目当て環２の第１平行溝８Ｂと嵌合する。この時、観測者が目の周辺で目当て環２を接眼レンズに近づく方向に押しても、動かないように係止する事が出来る。
【００２０】
図３は、収納状態にある目当て構造を示す断面図である。観測者が光学機器を使用しない場合は、目当て環２が絶えず眼球に最も近づいた位置に押し上げられている事は好ましくない。この為、目当て環２を光軸方向眼球に最も離れた位置までスライドし、光軸に直交する方向に回転すると、前記凸形状９は目当て環２の第２平行溝８Ｃと嵌合する。前記第２平行溝８Ｃは、光軸方向に垂直に形成されているので、凸形状９は係止する事が可能である。このことにより、目当て構造はコンパクトに収納できる。
【００２１】
以上説明したように、目当て構造１によれば、目当て環２を観測者の任意の位置に、わずらわしい操作なしに、目当て環２に目の周辺を押し付けることのみによりセットする事ができ、係止させたいときには、目当て環２を光軸に直交する方向に回転する事のみで実現できる。
【図面の簡単な説明】
【００２２】
【図１】本発明に係る目当て構造を示す断面図。
【図２】目当て環２、接眼枠３、固定枠４及びコイルバネ５を組み合わせる前の構造を示す為、一部をカットした斜視図である。
【図３】収納状態にある目当て構造を示す断面図
【符号の説明】
【００２３】
１    目当て構造
２    目当て環
３    接眼枠
４    固定枠
５    コイルバネ
６    開口部
７    開口部
８    凹部
８Ａ  凹形状
８Ｂ  第１平行溝
８Ｃ  第２平行溝
９    凸形状
１０  接眼ユニット
１０Ａ  接眼レンズ
１０Ｂ  接眼レンズ
１０Ｃ  接眼レンズ
１１    光軸
１２    光学機器鏡筒
１３    弾性部材
【図１】
2007127689.tif 000003
【図２】
2007127689.tif 000004
【図３】
2007127689.tif 000005